(57)【要約】  度数可変レンズは、第１及び第２のレンズ要素を備え、一方のレンズ要素が、レンズの光軸に沿って他方のレンズ要素の背後にある。前記光軸に平行な方向における各要素の厚さが前記光軸を横切る方向で変化するように、各要素は、対向する平面及び曲面を有する。前記要素は前記横切る方向に相対的に可動であり、よって、前記度数可変レンズの度数を変化させることができる。前記レンズ要素は、前記第１のレンズ要素の前記曲面が前記第２の要素に隣接して配置され、前記第１の要素の前記平面が回折パターンを担持する。
2016510437.tif 000002
【特許請求の範囲】
【請求項１】
第１及び第２のレンズ要素を備え；
前記レンズ要素の一方のレンズ要素が、前記第１及び第２のレンズ要素を備える度数可変レンズの光軸に沿って他方のレンズ要素の背後にあり、前記光軸に平行な方向における各レンズ要素の厚さが前記光軸を横切る方向で変化するように、各レンズ要素は、対向する平面及び曲面を有し、前記レンズ要素は前記横切る方向に相対的に可動であり、よって、前記度数可変レンズの度数を変化させることができるように構成され；
前記レンズ要素は、前記第１のレンズ要素の前記曲面が前記第２のレンズ要素に隣接して配置され、前記第１のレンズ要素の前記平面が回折パターンを担持する；
度数可変レンズ。
【請求項２】
前記第１及び第２のレンズ要素のうちの一方の前記曲面は、前記光軸に平行な方向におけるその厚さが以下の式によって画成されるように構成され、
2016510437.tif 000008
前記第１及び第２のレンズ要素のうちの他方の前記曲面は、前記光軸に平行な方向におけるその厚さが以下の式によって画成されるように構成され、
2016510437.tif 000009
ここで、ｘ及びｙは、前記横切る方向に延びるｘ軸と、ｘ軸及び光軸とに垂直に延びるｙ軸とに対する座標を表し；Ａは、前記レンズ要素の相対運動によるレンズ度数変化の割合を表す係数であり；Ｄは、レンズ厚を制御するよう選択される係数であり；Ｅは、前記光軸における前記レンズ厚を表す係数である、
請求項１に記載の度数可変レンズ。
【請求項３】
前記第２のレンズ要素は可動であり、前記第１のレンズ要素は固定される、
請求項１又は請求項２に記載の度数可変レンズ。
【請求項４】
前記第２のレンズ要素の前記平面は、前記第１のレンズ要素に対向する、
請求項１乃至請求項３のいずれか１項に記載の度数可変レンズ。
【請求項５】
前記回折パターンは、前記第１のレンズ要素の前記平面に適用される回折格子フィルムによって提供される、
請求項１乃至請求項４のいずれか１項に記載の度数可変レンズ。
【請求項６】
前記回折パターンは、前記第１のレンズ要素の前記平面に形成される、
請求項１乃至請求項４のいずれか１項に記載の度数可変レンズ。
【請求項７】
前記回折パターンの領域内の前記第１のレンズ要素の前記平面に適用される前記第１のレンズ要素と同じ屈折率を有するコーティングを更に備える、
請求項６に記載の度数可変レンズ。
【請求項８】
前記回折パターンは、前記第１のレンズ要素の前記平面に適用される射出瞳拡大器又はバルクホログラムによって提供される、
請求項１乃至請求項４のいずれか１項に記載の度数可変レンズ。
【請求項９】
請求項１乃至請求項８のいずれか１項に記載の少なくとも一つの度数可変レンズを支持するフレームを備えるメガネ。
【請求項１０】
前記少なくとも一つの度数可変レンズは、前記少なくとも一つの度数可変レンズの前記第１及び第２のレンズ要素を互に対して相対的に移動させるよう構成される機構に結合される、
請求項９に記載のメガネ。
【請求項１１】
前記少なくとも一つの度数可変レンズの回折パターン上に像を投影するよう構成されるプロジェクタを更に備える
請求項９又は請求項１０に記載のメガネ。
【請求項１２】
前記少なくとも一つの度数可変レンズの前記回折パターンから像を受け取るよう構成されるカメラを更に備える
請求項９乃至請求項１１のいずれか１項に記載のメガネ。
【発明の詳細な説明】
【技術分野】
【０００１】
本発明は、第１及び第２のレンズ要素を備え、レンズの光軸に沿って一方のレンズ要素が他方のレンズ要素の背後にあるタイプの度数可変レンズ関する。
【背景技術】
【０００２】
このタイプのレンズによって、数多くの使い道が開ける。とりわけ有用な一つの分野は、老眼の人々のためのメガネでの利用である。度数可変レンズを用いて、レンズを調節することによって、メガネの着用者は眼の調節機能不足を補償し、遠く及び近くの物体に焦点を合わせるために必要な焦点距離の差を吸収することを可能とする。
【０００３】
Ａｌｖａｒｅｚにより発明され、そのＵＳ３，３０５，２９４に記載されている度数可変レンズは、相互に摺動してレンズ度数を調節する２枚のレンズ要素による原理に基づいて機能する。これは、この種類のシナリオに対して多くの利点がある。特に、レンズ要素を射出成形できるので、製造に対する費用対効果が比較的高い。その上、配置が単純であり、専用化されていない製造環境であっても、容易に組み立てることができ、またユーザは簡単に調節することができる。
【０００４】
近年、メガネ等のアイウェア（メガネ又は眼に装着するメガネ状用具）に、ヘッドアップディスプレイの機能を実装できるようにすることに大きな関心が寄せられている。Ａｌｖａｒｅｚレンズは、その単純性によって、可変レンズを必要とするこの種の用途にとって良好な選択であると思われていた。しかしながら、ヘッドアップディスプレイの機能とＡｌｖａｒｅｚレンズとの一体化を達成するには困難が伴う。
【０００５】
これらの困難は、ヘッドアップディスプレイをユーザの片方の眼又は両方の眼の前にあるようにするために、回折構造をレンズ表面に適用する必要があることに起因する。Ａｌｖａｒｅｚレンズの各要素は、通常、平面（平坦な面）及び曲面を有している。要素は、平面が２つの要素間に共にあるように配置される。曲面は最も外側にある。回折格子フィルムをユーザの眼の近くの曲面に適用することは、適用中にしわが寄り易いので難しい。さらに、回折格子フィルム等の回折構造の直線的間隔（linearspacing）は、像のゆがみを招く曲面への適用によってうまくゆかないであろう。内側の平面も、この位置でそれらに投影される像が、平面とユーザの眼との間に配設されるレンズ要素における屈折によってゆがむため、適さない。
【発明の概要】
【０００６】
本発明の第１の局面は、第１及び第２のレンズ要素を備える度数可変レンズであって、前記度数可変レンズの光軸に沿って一方の要素が他方の要素の背後にあり、前記光軸に平行な方向における各要素の厚さが前記光軸を横切る方向で変化するように、各要素は、対向する平面及び曲面を有し、前記要素は前記横切る方向に相対的に可動であり、よって、前記レンズの度数を変化させることができ、前記要素は、前記第１の要素の前記曲面が前記第２の要素に隣接し、前記第１の要素の前記平面が回折パターンを担持する(bear)度数可変レンズを提供する。
【０００７】
このように要素を配置することによって、第１のレンズ要素の平面を、第１及び第２の要素によって形成される複合レンズ構造の外側に位置するようにさせることになる。したがって、ヘッドアップディスプレイをもたらすように像が投影される回折構造を支持する平面が得られる。複合レンズの屈折力は、この構成において、２つの平面を一緒にした（同じ側に合わせた）場合と全く同じ方法で、２つの要素の相対運動により変化する。しかし、一方のレンズ要素におけるフィルムのしわの問題、屈折に起因する、又は回折構造の曲率に起因する像のゆがみという上記の問題は克服される。
【０００８】
要素は、第１の要素の曲面が第２の要素に隣接するように配置されるため、第１の要素の曲面は第２の要素に対向し、第１の要素の平面は第２の要素から離間して対向する。したがって、第１の要素の平面は、一組のレンズ要素の外側に露出し、像を投影できる回折パターンを受け入れるために利用できる。
【０００９】
好ましい実施の形態の度数可変レンズでは、  前記第１及び第２のレンズ要素のうちの一方の前記曲面は、前記光軸に平行な方向におけるその厚さが以下の式によって画成（定め形成）されるように構成され、
2016510437.tif 000003
前記第１及び第２のレンズ要素のうちの他方の前記曲面は、前記光軸に平行な方向におけるその厚さが以下の式によって画成されるように構成され、
2016510437.tif 000004
ここで、ｘ及びｙは、前記横切る方向に延びるｘ軸と、ｘ軸及び光軸とに垂直に延びるｙ軸とに対する座標を表し；Ａは、前記レンズ要素の相対運動によるレンズ度数変化の割合を表す係数であり；Ｄは、レンズ厚を制御するよう選択される係数であり；Ｅは、前記光軸における前記レンズ厚を表す係数である。
【００１０】
この好ましい実施の形態は、通常のＡｌｖａｒｅｚ構成を画成する。係数Ｄは、各要素から取り除かれるプリズムを効果的に画成し、全体のレンズ厚を減らし、好ましくは最小化する。Ａに対する値の適切な選択により、そして、ｘ方向におけるレンズの幅全体がそれ程大きくなければ、Ｄの値はゼロになるよう選択してもよい。係数Ｅはゼロであってもよいが、いずれにしても、レンズ要素の構造的剛性を十分に保証するような大きい値でなければならない。一の実施の形態において、ｘ方向におけるレンズの全幅が小さく、例えば、４ｃｍ以下であれば、Ａ、Ｄ、及びＥの値はそれぞれ、１、０、及び０であってもよい。
【００１１】
典型的には、第２の要素は可動であり、第１の要素は固定される。これにより、レンズの調整をしたとき、回折パターン上に投影される像の乱れを防ぐことができる。回折パターンは第１の要素によって支持されるので、プロジェクタに対してこれが相対的に動くと乱れの原因となり得る。
【００１２】
第２の要素の平面は、第１の要素に対向してもよい。
【００１３】
一の実施の形態においては、回折パターンは、第１の要素の平面に適用される回折格子フィルムによって提供される。既製の回折格子フィルムを用いることができるため、製造が迅速になり、既存の生産ラインに適用できる。
【００１４】
別の実施の形態においては、回折パターンは、第１の要素の平面に形成される。回折パターンは、レンズ要素自身とともにモールド成形されることにより、又は、レンズ要素を作製した後にレンズ要素をエンボス加工もしくは研削加工することによって形成してもよい。この実施の形態は、回折パターンが（モールド成形される場合に）製造工程を追加することなく形成できるので、安価な製造が可能になる。しかし、それには、既存の工具を改造したり、場合によっては置き換えることを要するであろう。
【００１５】
この実施の形態においては、第１の要素と同じ屈折率を有するコーティングを、回折パターンの領域内の第１の要素の平面に適用してもよい。これは、第１の要素を通過する光が、回折パターンによって屈折されることを防ぎ、それにより、ユーザ及び他の観察者にとってコーティングを不可視とする。
【００１６】
さらに別の実施の形態においては、回折パターンは、第１の要素の平面に適用される射出瞳拡大器又はバルクホログラムによって提供される。射出瞳拡大器は、像がより広い範囲を占めるようにするので特に有用であり、これは、ユーザの眼と回折パターンとの相対的な位置の重要性を低くできることを意味する。
【００１７】
本発明の第２の態様によれば、本発明の第１の態様による少なくとも一つの度数可変レンズを支持するフレームを含むメガネが提供される。
【００１８】
典型的には、少なくとも一つの度数可変レンズは、前記少なくとも一つの度数可変レンズの第１及び第２の要素を互に相対的に動かすように構成された機構に結合される。
【００１９】
メガネは、少なくとも一つの度数可変レンズの回折パターン上に像を投影するように構成されたプロジェクタを更に含むのが好ましい。プロジェクタは、メガネのテンプルアームに取り付けられてもよく、ユーザの眼に最も近い少なくとも一つの度数可変レンズの表面に向かって像を投影するように配置されてもよい。この表面は、回折パターンを支持する第１の要素の平面であることになる。
【００２０】
両方のレンズが本発明の第１の態様によるものである場合、２つのプロジェクタが提供されてもよい。
【００２１】
メガネは、少なくとも一つの度数可変レンズの回折パターンからの像を受け取るように構成されるカメラをさらに含んでもよい。カメラが、ユーザの眼の位置を監視できるように、例えば、視線追跡に用いることができるように、その像は通常、ユーザの眼の像である。
【００２２】
本発明の実施の形態を、添付図面を参照してここで説明する。
【図面の簡単な説明】
【００２３】
【図１】図１は、Ａｌｖａｒｅｚレンズを略図的に示す図である。
【図２】図２は、本発明による度数可変レンズを略図的に示す図である。
【図３】図３は、図１のレンズを備えるメガネを示す図である。
【発明を実施するための形態】
【００２４】
図１は、従来のＡｌｖａｒｅｚレンズ（レンズ同士を光軸に垂直に動かしてレンズの度数を変えるレンズ）を示す。これは本発明に直接には関係せず、単なる比較のために示す。レンズは、Ａ、Ｂ、Ｃの符号を付した３種類の異なる構成で示されている。レンズは２枚のレンズ要素１ａ、１ｂを有する。各レンズ要素１ａ、１ｂは、平面２ａ、２ｂと曲面３ａ、３ｂとを有する。
【００２５】
構成Ａにおいて、Ａｌｖａｒｅｚレンズの２枚のレンズ要素１ａ、１ｂは中立位置にある。両者は相互に、光軸４の横方向（光軸と交差する方向、特に直交する方向）に対してオフセットしてはいない。このように、曲面３ａ、３ｂは整列し、外形は互いに追従している。この中立位置においては、光軸から横方向にオフセットするどの位置でも２つの面の曲率半径は同じである。結果として、この構成における２つのレンズ要素１ａ、１ｂの組み合わせは、（光軸４に沿うレンズの厚さに起因するレンズの焦点距離全体に対するいずれの寄与も無視できるほどに、レンズの厚さが、２つの曲面３ａ、３ｂの曲率半径に比べて小さい場合は）何の度数も与えない。
【００２６】
構成Ｂにおいて、レンズ要素１ａ、１ｂは、矢印で示すように、光軸４から横方向にオフセットしている。曲面３ａ、３ｂはもはや整列しておらず、２枚のレンズ要素１ａ、１ｂの組み合わせ形状は両凹レンズと同様の形状である。したがって、この構成におけるＡｌｖａｒｅｚレンズは発散レンズである。
【００２７】
構成Ｃは構成Ｂと正反対であり、レンズ要素１ａ、１ｂは、構成Ｂとは反対方向に光軸４から横方向にオフセットしている。これもやはり矢印で示されている。２枚のレンズ要素１ａ、１ｂの組み合わせ形状はここで両凸レンズと同様の形状であり、したがって、Ａｌｖａｒｅｚレンズはここでは収斂レンズである。
【００２８】
図２は、本発明の実施の形態による度数可変レンズを示す。このレンズには２枚のレンズ要素１０ａ、１０ｂがある。レンズ要素１０ａ、１０ｂは、クラウンガラス、又は、フリントガラス、又は、ポリカーボネートのような光学向けグレードのプラスチック等の、いずれか適切なレンズ材料からできていてもよい。ガラスで曲面の複雑な形状を研削することは難しいので、モールド成形可能な材料（例えば、ポリカーボネート又は他の適切な光学向けグレードのプラスチック）の使用が好ましい。
【００２９】
各レンズ要素１０ａ、１０ｂは、平面１１ａ、１１ｂと曲面１２ａ、１２ｂとを有する。曲面１２ａ、１２ｂは、光軸に平行な方向でのそれぞれの厚さが、以下の２つの式によって画成されるように構成される：
2016510437.tif 000005
及び
2016510437.tif 000006
【００３０】
これらの式において、ｔ１及びｔ２はそれぞれ、曲面１２ａ及び１２ｂの厚さであり；ｘ及びｙは、光軸の横方向に延在するｘ軸と、ｘ軸及び光軸に対して垂直に延びるｙ軸とに対する座標を表し；Ａは、レンズ要素１０ａ、１０ｂの相対運動によるレンズ度数変化の割合を表す係数であり；Ｄは、レンズ厚を制御するよう選択される係数であり；Ｅは、光軸におけるレンズ厚を表す係数である。係数Ａ、Ｄ、Ｅに対する適切な値の選択は種々の要因によって決まり、要因には横方向のレンズの全体寸法も含まれる。当業者は、さらなる指示がなくともこれらの係数に対する適切な値を選択する方法を十分認識するであろう。例えばＵＳ３，３０５，２９４には、適切な値を選択する方法が記載されている。
【００３１】
ここに示されているように、レンズ要素１０ａは、図１のレンズ要素１ａとは異なって配向されている。具体的には、曲面１２ａが光軸１３上で反転され、平面１１ｂに隣接するように置かれている。図２のレンズは、Ｘ、Ｙ、Ｚの符号を付した３種類の構成で示されており、これらは図１の構成Ａ、Ｂ、Ｃに対応する。
【００３２】
したがって、構成Ｘは、中立構成に相当する。光軸１３の右側では、レンズ要素１０ａは事実上、平凹レンズに相当し、レンズ要素１０ｂは事実上、平凸レンズに相当する。状況は光軸１３の左側では逆になっており、レンズ要素１０ａが事実上、平凸レンズに相当し、レンズ要素１０ｂが事実上、平凹レンズに相当する。光軸１３から横方向にオフセットされた位置において２つの面１２ａ、１２ｂの曲率半径はどの位置でも同じである。したがって、２つのレンズ要素１０ａ、１０ｂは互いに補完し合い、結果としての度数はゼロである。
【００３３】
構成Ｙにおいて、レンズ要素１０ｂは、矢印の方向に、光軸１３に対して横方向に移動している。レンズ要素１０ａは移動していない。したがって、レンズ要素１０ａ及び１０ｂの両方は、事実上、平凹レンズに相当する。したがって、各レンズ要素１０ａ、１０ｂは発散レンズとして作用し、光軸１３に沿ったレンズ要素１０ａ、１０ｂの近接により、２つのレンズ要素１０ａ、１０ｂの度数は加法的であり、その結果、全体の度数は２つのレンズ要素１０ａ、１０ｂの度数の合計である。
【００３４】
構成Ｚにおいて、レンズ要素１０ｂは、構成Yの矢印の方向とは反対方向である矢印の方向に、光軸１３に対して横方向に移動する。レンズ要素１０ａは移動しない。したがって、レンズ要素１０ａ及び１０ｂの両方は、事実上、平凸レンズに相当する。したがって、各レンズ要素１０ａ、１０ｂは収斂レンズとして作用し、光軸１３に沿ったレンズ要素１０ａ、１０ｂの近接により、２つのレンズ要素１０ａ、１０ｂの度数は加法的であり、その結果、全体の度数は２つのレンズ要素１０ａ、１０ｂの度数の合計である。
【００３５】
ここに示されるように、図２の２枚のレンズ要素１０ａ、１０ｂの配置は、図１に示すＡｌｖａｒｅｚレンズ配置と同じ、光軸１３に対する横方向の２つのレンズ要素の相対運動による度数の変化を生じる。しかし、レンズ要素１０ａは光軸１３上で反転されているため、レンズ要素１０ａの平面１１ａは、レンズ要素１０ａ、１０ｂによって形成される複合レンズの外側に露出する。これにより、回折パターンを平面１１ａに適用することが可能となる。図２に示す実施の形態においては、これは、平面１１ａ全体にわたって適用される回折格子フィルム１４の形態となっている。
【００３６】
他の実施の形態において、回折格子フィルム１４は、単に平面１１ａの一領域に適用するようにするだけでもよい。また、回折格子フィルム１４は、回折像がより広い範囲を占めるようにする射出瞳拡大器で置き換えてもよく、これは、ユーザの眼と回折パターンの相対位置がそれ程重要ではないことを意味する。代りに、回折パターンは、レンズ要素１０ａの製造時に平面１１ａにパターンをモールド成形することによって、直接に形成してもよい。この場合、回折パターンは、通常、レンズ要素１０ａの材料と同じ屈折率を有するコーティング又はフィルムで覆われる。これにより、回折パターンがユーザには見えなくなっている。したがって、レンズ要素１０ａを通して真直ぐ見た場合には僅かな回折しか存在しないが、回折パターンは、それでもなお、高次の回折に対して高い回折効率を提供する。
【００３７】
平面１１ａ上に回折格子フィルム１４があるため、ヘッドアップディスプレイの機能を、図２の度数可変レンズと組み合わせることが可能になる。これを、メガネ２０を示す図３を参照して説明する。メガネ２０は、ブリッジ部２１と一対のテンプルアーム２２及び２３を含んで構成されるフレームを備える。
【００３８】
一対の度数可変レンズ２４及び２５は、ブリッジ部２１に収容される。各レンズ対は図２に示すタイプであるが、回折パターンをレンズ２５から省略してもよい。代わりに、レンズ２５を、図１に示すタイプの従来のＡｌｖａｒｅｚレンズとしてもよい。
【００３９】
レンズ２４の場合、レンズ要素１０ａはユーザの眼の最も近く、レンズ要素１０ｂはユーザの眼から最も遠い。したがって、レンズ要素１０ａは図２のレンズ要素１０ｂの背後にある。レンズ要素１０ｂはサムホイール２６に結合されており、サムホイール（指動輪（指、特には親指で操作するホイール））は、レンズ要素１０ａが静止して残る間、レンズ要素１０ｂを光軸に対して横方向に移動させることができるようにする。レンズ要素１０ａは静止したままである。というのは、回折パターン１４が動くと、その上に投影される像を乱すからである。サムホイール２６はブリッジ部２１内のねじに結合される。サムホイール２６を回すことによりねじが回転し、これがレンズ要素１０ａに対して光軸１３を横切って横方向にレンズ要素１０ｂを相対的に駆動する。レンズ２５についても同様の機構が提供され、この機構では、サムホイール２７が、レンズ２５の２枚のレンズ要素の相対運動を生じさせる。この場合、レンズ２５のレンズ要素の一方又は両方を移動させてもよい。
【００４０】
プロジェクタ２８はテンプルアーム２２に搭載される。それは、レンズ２４のレンズ要素１０ａ上の回折パターン１４に向けて開口２９を通して像を投影する小型ディスプレイを備える。回折パターンは、回折された光がユーザの眼に入り、プロジェクタ２８から投影された像が、レンズ２４を透過する屈折光からユーザに見える像に重ね合わされるように構成される。回折パターン１４の特性にとって必要なことは、プロジェクタ２８が発する光が、開口２９とユーザの瞳との間の角度を介して回折するように設計することである。当業者は、これをどのように行うかを、明確に示さずとも、光が回折格子によって回折される角度が以下の式によって与えられることを理解することでに、十分認識するであろう。
2016510437.tif 000007
ここで、θｍは回折角であり、ｍは回折次数、λは光の波長、ｄは回折パターン内のスリット間の間隔（又は他の回折の特徴）、及びθｉはプロジェクタ２８からの光の入射角である。この式により、ｄに対する最適な値を選択することによって回折パターンを設計して、光がユーザの瞳に回折するように、プロジェクタ２８が発する光を適切に回折させることは理解し易いであろう。この実施の形態においては、回折格子はもちろん反射型回折格子であり、プロジェクタからの光を回折させて、まさに上で検討したように、正しい角度を介して光をユーザの瞳に入れるだけではなく、プロジェクタからの光を目に向かって反射するように構成されている。
【００４１】
他の実施の形態においては、プロジェクタは、図３に示すような回折パターン１４の背後ではなく、それと並べて配設してもよい。この場合、装置は反射型ではなく、透過型回折格子を用いるよう配置してよく、プロジェクタからの光は、適切な角度で発せられて、レンズ要素１０ａとの境界面において回折格子に入射する。
【００４２】
上式から分かるように、回折角は、異なる波長に対して異なっている。実施の形態によっては、この効果は、単色光を発するプロジェクタを用いることによって最小限になる。プロジェクタは、有機発光ダイオード（ＯＬＥＤ）マイクロディスプレイであってもよい。
【００４３】
他の実施の形態において、プロジェクタを、ユーザの眼の位置を監視するための例えば視線追跡用カメラで置き換えても、又はカメラで効果増大を図ってもよい。
【符号の説明】
【００４４】
１ａ、１ｂ  レンズ要素
２ａ、２ｂ  平面
３ａ、３ｂ  曲面
４  光軸
１０ａ、１０ｂ  レンズ要素
１１ａ、１１ｂ  平面
１２ａ、１２ｂ  曲面
１３  光軸
１４  回折格子フィルム
２０メガネ
２１ブリッジ部
２２、２３  テンプルアーム
２４、２５  度数可変レンズ
２６、２７  サムホイール
２８  プロジェクタ
２９  開口
【図１】
2016510437.tif 000010
【図２】
2016510437.tif 000011
【図３】
2016510437.tif 000012
【国際調査報告】
2016510437.tif 000013
2016510437.tif 000014
2016510437.tif 000015